(57)【要約】 【課題】  本発明は、記録媒体に記録された複数の曲をランダムに再生するとき、連続して同じ曲が再生されないようにする楽曲再生装置を提供することを課題とする。また、本発明は、聴者の嗜好性を考慮した上で記録媒体に記録された曲をランダムに再生することができる楽曲再生装置，楽曲ランダム再生方法，楽曲再生方法を提供することを課題とする。【解決手段】  本発明の楽曲再生装置１は、楽曲再生装置１により実行される処理を制御するシステムコントローラ２と、楽曲データを記録するハードディスク３と、楽曲データを再生するために所定の周波数に増幅するアンプ４と、楽曲を音として出力するスピーカ５と、各種の情報を入力したり楽曲再生装置１の操作を行うための入力部６と、システムコントローラ２等の処理情報を一時的に記録するメモリ７とを備えていることを特徴とする。【選択図】  図１
2006228373.tif 000002
【特許請求の範囲】
【請求項１】
記録媒体に記録された楽曲を再生する再生装置において、
楽曲毎に付与された、楽曲の属性を示す属性データをインデックス毎に格納する格納手段と、
この格納手段から、再生中の楽曲の属性データと関連するインデックスをパラメータとして選択するパラメータ選択手段と、
選択されたパラメータのインデックスに属する属性データを有する楽曲を抽出する抽出手段と、
その楽曲を出力する出力手段とを備えることを特徴とする楽曲再生装置。
【請求項２】
前記インデックスを複数組み合わせたパターンデータを格納するパターンデータ格納手段を有し、
前記パラメータ選択手段は、前記パターンデータ格納手段からパターンデータを選択し、
前記抽出手段は、選択されたパターンデータに基づいて楽曲を選択することを特徴とする請求項１に記載の楽曲再生装置。
【請求項３】
前記パラメータ選択手段は、乱数抽選によりパラメータとなるインデックスを決定する抽選手段を有し、前記抽出手段は、抽選結果の下で次曲の楽曲を選択することを特徴とする請求項１又は２に記載の楽曲再生装置。
【請求項４】
パラメータとなるインデックスを入力する入力手段を有し、ユーザは、この入力手段からパラメータを選択することを特徴とする請求項１〜３の何れかに記載の楽曲再生装置。
【請求項５】
前記入力手段から優先順位をつけて入力された複数のパラメータを格納する優先パターンデータ格納手段を備えることを特徴とする請求項４に記載の楽曲再生装置。
【請求項６】
前記記録媒体に記録されている楽曲の属性データに対応するインデックスのみをパラメータの選択対象として選出する選出手段を有することを特徴とする請求項１〜５の何れかに記載の楽曲再生装置。
【請求項７】
前記入力手段は、前記パラメータ選択手段が格納手段又はパターンデータ格納手段から選択するパラメータの条件の入力を行うことを特徴とする請求項４〜６の何れかに記載の楽曲再生装置。
【請求項８】
前記記録媒体に記録された楽曲データの量に応じて、前記パラメータ選択手段の動作を制御する制御手段を有することを特徴とする請求項１〜７の何れかに記載の楽曲再生装置。
【請求項９】
楽曲の属性データを管理するデータ管理サーバとネットワークを介して接続する接続手段と、
前記データ管理サーバから楽曲の属性データ及び／又はインデックスに関するデータを受信する受信手段とを備え、
前記受信手段により受信された属性データ及び／又はインデックスに関するデータは、前記格納手段及び／又は前記パターンデータ格納手段に更新記録されることを特徴とする請求項１〜８の何れかに記載の楽曲再生装置。
【請求項１０】
前記入力手段により入力された、パラメータ又は前記パラメータ選択手段がパラメータを選択するために設定された条件に関する履歴情報を格納する履歴情報格納手段を有し、
前記パラメータ選択手段は、これらの履歴情報に基づいてパラメータを選出することを特徴とする請求項４〜９の何れかに記載の楽曲再生装置。
【請求項１１】
前記パラメータ選択手段により選択されたパラメータの内容を外部に出力する出力手段を有することを特徴とする請求項１〜１０の何れかに記載の楽曲再生装置。
【請求項１２】
前記パラメータ選択手段が楽曲毎にパラメータを選択するか、パターンデータに則りパラメータを選択するかを設定する設定手段を有することを特徴とする請求項１〜１１の何れかに記載の楽曲再生装置。
【請求項１３】
記録媒体に記録された楽曲の楽曲ランダム再生方法であって、前回の再生曲における楽曲の属性を示す属性データのうち少なくとも一つのインデックスと同じインデックスが付与された楽曲を次回の再生曲として選択することを特徴とする楽曲ランダム再生方法。
【請求項１４】
記録媒体に記録された楽曲を再生する再生方法において、
楽曲毎に付与された、楽曲の属性を示す属性データをインデックス毎に格納するステップと、
再生中の楽曲の属性データと関連するインデックスをパラメータとして選択するステップと、
選択されたパラメータのインデックスに属する属性データを有する楽曲を抽出するステップと、
その楽曲を出力するステップとを含むことを特徴とする楽曲再生方法。
【発明の詳細な説明】
【技術分野】
【０００１】
本発明は、記録媒体に記録されている曲をランダムに選曲し再生する技術に関する。
【背景技術】
【０００２】
従来から、ＣＤ（コンパクトディスク），ＭＤ（ミディアムディスク），ＨＤ（ハードディスク）等の記録媒体に記録された音楽（曲）をランダムに再生するオーディオ装置がある。このオーディオ装置には、ＣＤ／ＭＤ／ＨＤプレーヤー（ポータブルも含む）やコンポ、さらには、車載型のオーディオ装置等がある。
【０００３】
記録媒体に記録された曲をランダムに再生するには、まず、オーディオ装置内に設けられた制御部（ＣＰＵ等）が、乱数抽選を行う。そして、抽選結果に対応した曲を順次再生する。
【０００４】
乱数抽選を用いたランダム再生には、同じジャンルの曲を連続再生しないパターン（特許文献１参照），指定したジャンル内で乱数抽選を行い曲順をシャッフルして再生するパターン（特許文献２参照），曲毎に付されたインデックス（楽曲ＩＤ）と曲順とを対応づけて曲を再生するリスト（プレイリスト）を作成し、そのリストに従って曲を再生するパターン（特許文献３参照）等がある。
【０００５】
このように、記録媒体に記録された曲順通りではなく、不規則な順序で曲が再生されるため、聴者は、曲順に意外性を感じ飽きることなく複数の曲を聴くことができる。
【特許文献１】特開２００２−２０８２６０号公報
【特許文献２】特開２０００−３５７３６５号公報
【特許文献３】特開２００３−１７８０８８号公報
【発明の開示】
【発明が解決しようとする課題】
【０００６】
ところが、従来のランダム再生技術は、乱数抽選のため、乱数抽選の結果が連続して同じ結果となることもある。そのため、聴者は連続して同じ曲を聴くことになり冗長となってしまう場合があった。
【０００７】
また、複数人のアーティストの曲が複数ずつ記録されている記録媒体の中には、多かれ少なかれ、聴者が好きな曲とそれほど好きではない曲とが含まれている。そのため、この記録媒体に記録された曲をランダムに再生すると、乱数抽選の結果、それほど好きではない曲が連続して再生されたり、それほど好きではないアーティストの曲が連続して再生されたりする場合がある。その場合、聴者は、聴きたくない曲を早送りさせたりスキップさせたりすることが少なくなかった。
【０００８】
そこで、本発明は、記録媒体に記録された複数の曲をランダムに再生するとき、連続して同じ曲が再生されないようにする楽曲再生装置，楽曲ランダム再生方法，楽曲再生方法を提供することを課題とする。
【０００９】
また、本発明は、聴者の嗜好性を考慮した上で記録媒体に記録された曲をランダムに再生することができる楽曲再生装置，楽曲ランダム再生方法，楽曲再生方法を提供することを課題とする。
【課題を解決するための手段】
【００１０】
本発明は、上記事項に鑑みてなされたものであり、すなわち、本発明は、記録媒体に記録された楽曲を再生する再生装置において、楽曲毎に付与された、楽曲の属性を示す属性データをインデックス毎に格納する格納手段と、この格納手段から、再生中の楽曲の属性データのインデックスからパラメータとなるインデックスを選択するパラメータ選択手段と、選択されたパラメータに属する属性データを有する楽曲を抽出する抽出手段と、その楽曲を出力する出力手段とを備えることを特徴とする。
【００１１】
例えば、再生中の楽曲の属性データが、ジャンル：ロック，年代：１９７０年代であるとする。この場合、インデックスはロックか１９７０年代であり、パラメータ選択手段は、この二つのインデックスの何れかを次曲のパラメータとして選択する。ここで、パラメータ選択手段がロックというインデックスをパラメータとして選択したとすると、抽出手段は、格納手段から、ロックのジャンル内で次に再生する楽曲を抽出する。
【００１２】
このように、本発明では、無秩序に乱数抽選するわけではなく、再生前後の楽曲の属性データが互いに関連づけられているため、連続して同じ曲が出力されることを防ぐことができる。これにより、聴者は、飽きることなく連続的に楽曲の視聴を楽しむことができる。
【００１３】
また、本発明は、インデックスを複数組み合わせたパターンデータを格納するパターンデータ格納手段を有し、パラメータ選択手段は、パターンデータ格納手段からパターンデータを選択し、抽出手段は、選択されたパターンデータに基づいて楽曲を選択することを特徴とする。
【００１４】
パターンデータとは、例えば、パラメータを、最初にロック、続けて１９８０年代→アーティスト名→アルバム名の順に変化させるパターンや、最初のパラメータをアーティスト名とし、次を年代とし、その次をアルバム名の順に変化させるパターンというようなパラメータ選択手段が選択すべきパラメータの順序についてのデータである。このようにパラメータの順番を予め組み合わせたパターンデータをパターン選択手段に選択させることにより、パターン選択手段がその都度パラメータを選択することを省略し、楽曲の出力処理を円滑にすることができる。
【００１５】
また、本発明に係るパラメータ選択手段は、乱数抽選によりパラメータとなるインデックスを決定する抽選手段を有し、抽出手段は、抽選結果の下で次曲の楽曲を選択するようにしてもよい。
【００１６】
これにより、聴者が予測困難な順序で楽曲が再生されることとなり、聴者の倦厭感を極力少なくすることができる。
【００１７】
また、本発明は、パラメータとなるインデックスを入力する入力手段を有し、ユーザは、この入力手段からパラメータを選択する構成としてもよい。
【００１８】
つまり、本発明によれば、次曲を選択するためのパラメータをユーザ（聴者，操作者）が自由に設定することができる。例えば、ポップスのジャンル内だけでランダム再生したり、ポップスのジャンルで且つ１９９０年代の楽曲内というように嗜好性に合わせて絞り込んだ範囲内でランダム再生するように設定することができる。これにより、ユーザのカスタマイズ性を高めると共に嗜好性を有しつつ楽曲をランダムに再生することが可能となる。
【００１９】
尚、パラメータの選択を上述したように乱数抽選にするか、又はユーザによって自由に入力設定するかを、ユーザ自身により設定できるようにしてもよい。これにより、楽曲再
生装置自体の操作性を向上させることができる。
【００２０】
また、本発明は、入力手段から優先順位をつけて入力された複数のパラメータを格納する優先パターンデータ格納手段を備えると好ましい。
【００２１】
例えば、ユーザが、１９６０年代と２０００年代のロックとポップスとの楽曲をランダム再生したい場合、年代を優先するかまたはジャンル（ロック又はポップス）を優先するかによって再生される楽曲順序が異なってくる。このとき、本発明によれば、ユーザの好みに応じて、優先順位の高い方からポップス→ロック→２０００年代→１９６０年代というように設定することができる。尚、このように設定した場合においても、再生中の楽曲と次に再生される楽曲とのインデックス（属性データ）は互いに関連付いている。例えば、再生中の楽曲の属性データが、ポップス，２０００年代である場合、上記した優先順位順に次曲のパラメータはロックとなる。本発明の場合、次曲のパラメータがロックであることだけではなく、再生中の楽曲のインデックス（属性データ）と次曲の楽曲のインデックスが関連付いているため、次曲のパラメータは、２０００年代というインデックスとロックというインデックスとなる。
【００２２】
このように、本発明によれば、優先順位を付けながらも、再生中の楽曲と次曲との間に関連性を有することが可能となり、嗜好性と意外性とを兼ね合わせる楽曲のランダム再生を実現することができる。尚、本発明に係る入力手段は、楽曲再生装置が、車載型のオーディオ装置やナビゲーション装置の場合、それらの装置を操作するボタン，リモコン，液晶タッチパネル等とすることができる。
【００２３】
また、本発明は、記録媒体に記録されている楽曲の属性データに対応するインデックスのみをパラメータの選択対象として選出する選出手段を有する構成とすると好ましい。
【００２４】
例えば、記録媒体（ハードディスク等）に記録（登録）されている楽曲が、１８５０年代のクラッシックと２０００年代のＲ＆Ｂだとすると、選出手段は、１８５０年代の年代，クラッシックというジャンル，２０００年代の年代，Ｒ＆Ｂというジャンルをパラメータの選択対象として選出する。そして、パラメータ選択手段は、それらの中から次曲を選択するためのパラメータを選択する。
【００２５】
つまり、全ての曲のジャンルがロックとＲ＆Ｂだけである場合、選出手段は、パラメータの選択対象となるインデックスからその他のジャンル（例えば、ポップス，ジャズ，ヒュージョン等）を排除し、パラメータ選択手段は、ロックとＲ＆Ｂのジャンル内からパラメータを選択する。
【００２６】
これにより、パラメータの選択処理が円滑となり、迅速に楽曲再生を実現することができる。勿論、本発明では、この場合も再生中の楽曲のインデックスと次曲のインデックスとの間の関連性は継続されている。例えば、記録媒体に記録された楽曲のジャンルがロックとＲ＆Ｂのみであり、再生中の楽曲がロックの場合、パラメータ選択手段は現在再生中の楽曲のジャンル以外の属性データを参考にしてパラメータを選択する。つまり、現在再生中の楽曲がロック，１９８０年代，アーティストＡという属性データを有している場合、次曲のパラメータとなるインデックスは、１９８０年代のロック又はポップス，アーティストＡのロック又はポップス，１９８０年代のアーティストＡとなる。
【００２７】
また、本発明の選出手段に、記録媒体に記録されている楽曲のインデックスがパラメータとして一巡するまでは、すでに選出されたインデックスをパラメータ選択手段がパラメータとして選択出来ないように、インデックスに制限を掛ける機能を付してもよい。これは、パラメータ選択手段により一度選択されたインデックスにフラグを立てるなどして実
現する。
【００２８】
さらに、本発明に係る入力手段は、パラメータ選択手段が格納手段又はパターンデータ格納手段から選択するパラメータの条件の入力を可能とすると好ましい。これにより、ユーザに対するカスタマイズ性を向上させることができる。尚、本発明は、手動で設定した複数のパラメータを乱数抽選によりランダムに選択するように設定するような構成としてもよい。これにより、より複雑な曲順でランダム再生を行うことができる。
【００２９】
また、本発明は、記録媒体に記録された楽曲データの量に応じて、パラメータ選択手段の動作を制御する制御手段を有する構成としてもよい。
【００３０】
例えば、記録媒体に記録された楽曲数又は楽曲データのサイズが一定量を超えたことを契機として、制御手段が本発明における楽曲の再生方法の有効無効を切り換えるように設定する。加えて、その反対に、制御手段に、本発明における楽曲の再生方法が有効となる楽曲数又は楽曲データのサイズを自動的に設定する機能を設けてもよい。尚、本発明における楽曲の再生方法が有効となる楽曲数又は楽曲データのサイズをユーザが任意に入力設定できるようにしてもよい。
【００３１】
これにより、記録媒体に記録された楽曲がランダム再生する必要がないくらい少ない場合（例えば、楽曲が二曲しか記録媒体に記録されていない場合等）や、本発明におけるランダム再生の機能を有効にする設定作業を省略することができる。尚、発明の制御手段は、パラメータ選択手段の制御だけでなく、楽曲再生装置全体の制御を司るシステムコントローラやＣＰＵ（中央演算処理装置）等とすると好ましい。
【００３２】
さらに、本発明に係る入力手段により入力された、パラメータ又はパラメータ選択手段がパラメータを選択するために設定された条件に関する履歴情報を格納する履歴情報格納手段を有し、パラメータ選択手段は、これらの履歴情報に基づいてパラメータを選出する構成とするとより好ましい。
【００３３】
一般的に、ユーザ（聴者）が楽曲を聴く際、気に入っている楽曲の再生回数は増え易い傾向となる。この傾向を捉え、本発明は、履歴情報格納手段に、再生（ランダム再生ではなく通常再生）した楽曲の種類（アーティスト名，楽曲名，アルバム名等を含む）や再生された楽曲の回数等を格納しておく。そして、格納した履歴情報に基づき、そのユーザの嗜好性を分析する。そして、その嗜好性に基づき、パラメータ選択手段は、パラメータを選択する。
【００３４】
例えば、履歴情報格納手段に、アーティストＡの楽曲についての属性データが多く格納されている場合、パラメータ選択手段は、アーティストＡの属性データからパラメータとなるインデックスを選択する。つまり、現在再生中の楽曲がアーティストＡのアルバム１中の楽曲１という楽曲であるとすると、次に再生される楽曲のパラメータは、アーティストＡ，アルバム１の何れかを含んだものとなる。
【００３５】
このように、本発明は、ユーザの好みの楽曲中でランダム再生することができるため、複数ある楽曲の中で聴者（ユーザ）がそれほど視聴していない、つまりそれほど聴きたくない楽曲がランダム再生により再生され難くなる。これにより、聴者が楽曲を連続的に楽しむことができる。
【００３６】
また、本発明に係るパラメータ選択手段により選択されたパラメータの内容を外部に出力する出力手段を有することとしてもよい。つまり、本発明の出力手段は、次の楽曲に切り替わる際に、どのパラメータを選択して選曲しているかをユーザ（聴者）に報知する。
報知の方法としては、装置本体に設けられたディスプレイに表示する方法や、スピーカから音声で出力する方法（例えば「次は、ポップスです」というようなアナウンス）等を例示できる。
【００３７】
これにより、ユーザは視覚及び／又は聴覚から選択されたパラメータを把握することが可能となり仕様性が向上する。尚、この出力手段のＯＮ／ＯＦＦ設定は、前記入力手段により行えると好ましい。
【００３８】
さらに、本発明は、本発明に係るパラメータ選択手段が楽曲毎にパラメータを選択するか、パターンデータに則りパラメータを選択するかを設定する設定手段を有してもよい。尚、設定手段は入力手段にて兼用させてもよい。
【００３９】
また、本発明は、楽曲の属性データを管理するデータ管理サーバとネットワークを介して接続する接続手段と、データ管理サーバから楽曲の属性データ及び／又はインデックスに関するデータを受信する受信手段とを備え、受信手段により受信された属性データ及び／又はインデックスに関するデータは、格納手段及び／又はパターンデータ格納手段に更新記録されることとすることもできる。
【００４０】
つまり本発明によれば、属性データの各種インデックスのデータは、サービスイン後であっても、インターネット等のネットワークからダウンロードするなどして更新することができる。
【００４１】
これにより、例えば、記録媒体（ハードディスクやＭＤ）に記録されていないジャンルの楽曲を記録した場合等、その楽曲のジャンルのインデックスを補完することができる。これにより、記録媒体に新しく楽曲を記録したり、記録される楽曲の内容（種類）に変化があったりしても、汎用的に対応することができる。
【００４２】
また、本発明は、記録媒体に記録された楽曲の楽曲ランダム再生方法であって、前回の再生曲における楽曲の属性を示す属性データのうち少なくとも一つのインデックスと同じインデックスが付与された楽曲を次回の再生曲として選択することを特徴とする。
【００４３】
さらに、本発明は、記録媒体に記録された楽曲を再生する楽曲再生方法であり、上記した楽曲再生装置により、楽曲毎に付与された、楽曲の属性を示す属性データをインデックス毎に格納するステップと、再生中の楽曲の属性データと関連するインデックスをパラメータとして選択するステップと、選択されたパラメータのインデックスに属する属性データを有する楽曲を抽出するステップと、その楽曲を出力するステップとが実行されることを特徴とする楽曲再生方法。
【発明の効果】
【００４４】
本発明によれば、記録媒体に記録された複数の曲をランダムに再生するとき、連続して同じ曲が再生されないようにする楽曲再生装置，楽曲ランダム再生方法，楽曲再生方法を提供することができる。
【００４５】
また、本発明は、聴者の嗜好性を考慮した上で記録媒体に記録された曲をランダムに再生することができる楽曲再生装置，楽曲ランダム再生方法，楽曲再生方法を提供することができる。
【発明を実施するための最良の形態】
【００４６】
以下、本実施形態の楽曲再生装置及び方法を図面に基づいて詳説する。尚、本発明の、楽曲再生装置は、記録媒体をＣＤ（Compact Disk）、ＭＤ（Mini Disk）、ＤＶＤ(Digita
l Video Disk)、ＨＤ（Hard Disk）等により楽曲を再生する装置であり、ポータブルプレーヤーやコンポ等の他に車載型のオーディオ装置やナビゲーション装置とすることができる。そこで本実施の形態の楽曲再生装置は、記録媒体にハードディスクを用いた装置であるとして説明する。
【００４７】
＜ハードウェア構成＞
図１に本実施形態の楽曲再生装置１のハードウェア構成を示す。本実施形態の楽曲再生装置１は、楽曲再生装置１により実行される処理を制御するシステムコントローラ（パラメータ選択手段，選出手段）２と、楽曲データを記録するハードディスク（記録手段）３と、楽曲データを再生するために所定の周波数に増幅するアンプ４と、楽曲を音として出力するスピーカ（出力手段）５と、各種の情報（条件）を入力したり楽曲再生装置１の操作を行うための入力部（入力手段）６と、システムコントローラ２等の処理情報を一時的に記録するメモリ７とを備えている。
【００４８】
本実施形態のハードディスク３内には、楽曲データを格納する楽曲データベース３ａと、楽曲（データ）毎に付与された楽曲の属性を示す属性データをインデックス毎に格納する楽曲属性データベース（格納手段）３ｂと、パラメータとなるインデックスを順に組み合わせたパターンデータを格納するパラメータテーブル（パターンデータ格納手段）３ｃと、ユーザ（聴者）が自身の嗜好に合わせて入力部６から入力したパラメータ又パラメータを選択するために設定した条件に関する履歴情報を格納する履歴情報データベース（履歴情報格納手段）３ｄと、ユーザにより入力部から優先順位をつけて入力された複数のパラメータを格納する優先パターンデータベース（優先パターンデータ格納手段）３ｅとが構築されている。
【００４９】
図２に示すように、楽曲属性データベース３ｂには、楽曲名，ジャンル，年代，アーティスト名，アルバム名が互いに関連づけられて格納されている。
【００５０】
また、パラメータテーブル３ｃには、図３に示すように、パラメータとなるべきインデックスが組み合わされたパターンデータが格納されている。パターンデータとしては、ジャンル→アーティスト名→年代という順序で曲毎にパラメータが変化するパターンや、年代→アルバム名→ジャンルという順序で曲毎にパラメータが変化するパターン等を例示できる。
【００５１】
また、履歴情報データベース３ｄには、図４に示すように、ユーザによって入力設定されたパラメータの内容と回数とが日付と対応づけられて格納されている。例えば、１月１日，ジャズ，２回、というこれらのデータが互いに対応付いている。
【００５２】
さらに、優先パターンデータベース３ｅには、図５に示すように、選択条件となるパラメータとユーザが入力部６から入力した優先順位とが対応づけられて格納されている。
【００５３】
また、本実施形態のシステムコントローラ２は、装置１全体の基本制御処理に加えて、楽曲データベース３ｂから、再生中の楽曲の属性データのインデックスからパラメータとなるインデックスを選択する制御と、楽曲属性データベース３ｂに記録されている楽曲の属性データに対応するインデックスのみをパラメータの選択対象として選出する制御も行う。
【００５４】
さらに、本実施形態の楽曲再生装置１は、パラメータをランダムに選択するときや楽曲をランダムに選択するときに乱数を用いて抽選を行う乱数抽選部８を有している。この乱数抽選部８は、例えば１〜５００という数字の範囲内で抽選を行い、抽選結果に基づきパラメータや楽曲の選択を決定させる。
【００５５】
また、本実施形態に係る入力部６は、図６に示すように、楽曲再生装置１に設けられ、装置１の操作や出力内容を表示する液晶型タッチパネル（以下入力部をタッチパネルと称す）であるとする。このタッチパネル６の液晶ディスプレイには、操作メニューアイコン（リンク属性の設定アイコンａ，ランダム条件の設定アイコンｂ，属性設定アイコンｃ，ランダム数の設定アイコンｄ）が表示されている。
【００５６】
タッチパネル６に表示されたランダム条件の設定のアイコンａを操作すると、図７に示すような画面Ａが表示される。画面Ａには、ランダム再生を自動的に行うか、ユーザが手動で入力するかを選択するアイコンが表示されている。
【００５７】
また、リンク属性の設定のアイコンｂを操作すると、図８に示すような画面Ｂが液晶ディスプレイに表示される、画面Ｂには、ジャンル，年代，アーティスト（名），アルバム（名）というパラメータとなりうるインデックスが表示されている。このインデックスの表示をタッチすることによりユーザはパラメータを設定することができる。尚、このとき、選択したパラメータを識別しやすくするため、選択されたインデックスの表示と他のインデックスの表示との色を異ならせるようにする。
【００５８】
また、ここで複数のインデックスを選択する場合、図９の画面Ｃに示すように、選択した順（優先順位順）にインデックスの表示内に数字が表示される。
【００５９】
また、図８に示すように画面Ｂには、次曲のパラメータを乱数抽選によりランダムに選択する設定を行うための「ランダム」というアイコンが表示されている。このアイコンを操作すると、優先順位は無視され乱数抽選の結果に基づきランダム再生される。
【００６０】
また、属性設定のアイコンｃを操作すると、図１０に示す画面Ｄがタッチパネル６（図６参照）のディスプレイに表示される。画面Ｄは、本実施形態の楽曲再生装置１による楽曲のランダム再生機能を有効にするための各インデックス（属性データ）毎の楽曲数を設定するための画面である。
【００６１】
さらに、ランダム数の設定アイコンｄを操作すると、図１１に示す画面Ｅがディスプレイに表示される。画面Ｅは、本実施形態の楽曲再生装置１による楽曲のランダム再生機能を有効にするための楽曲数を設定するための画面である。
【００６２】
つまり、画面Ｄ又はＥにて設定を行うと、楽曲データベース３ａにて記録された楽曲数が、ここで設定した楽曲数に満たないときは、本実施形態の楽曲再生装置１による楽曲のランダム再生が行われないことになる。
以上が本実施形態の楽曲再生装置１のハードウェア構成である。
【００６３】
＜動作説明＞
次に、本実施形態の楽曲再生装置１の動作内容について説明する。尚、本実施形態の楽曲再生装置１は、システムコントローラ２が装置１全体の制御を実行するものとして説明する。
【００６４】
＜一曲毎にパラメータを自動的に選択する場合＞
図１２に基づき一曲毎にパラメータを設定する場合について説明する。
この場合は、乱数抽選部８が、現在再生中の楽曲Ａの属性データのインデックスの中から次曲（楽曲Ｂ）のパラメータとなりうるインデックスの抽選を実行する。例えば、抽選結果がロックの場合、次曲のパラメータはロックとなる。つまり、次曲は、ロックというジャンル内で選曲される。
【００６５】
また、次々曲（楽曲Ｃ）のパラメータを選択する場合も上記と同様に、乱数抽選部８により、楽曲Ｂの属性データのインデックスの中からパラメータとなりうるインデックスの抽選が実行される。例えば、抽選の結果がアーティストＢ（アーティスト名）となった場合、次々曲のパラメータはアーティストＢとなる。つまり、次々曲は、アーティストＢの楽曲の中から選択される。
【００６６】
このように、本実施形態の楽曲再生装置１によれば、無秩序に乱数抽選を行い楽曲を選出するのではなく、現在再生している楽曲と次に再生される楽曲との属性データが互いに関連づけられているため、連続して同じ曲が出力されることを防ぐことができる。これにより、聴者は、飽きることなく連続的に楽曲の視聴を楽しむことができる。
【００６７】
＜パターンデータを利用してパラメータを設定する場合＞
パターンデータを利用して楽曲毎にパラメータを変化させる場合は、システムコントローラ２がパラメータテーブル３ｃからパターンデータを選択する。パターンデータの選択は、ユーザがパターンデータを直接選択してもよいし、乱数抽選部８の乱数抽選により選択してもよい。例えば、何れかの方法により「ジャンル→アーティスト名→年代」というパターンデータが選択されたとする。この場合、現在再生中の楽曲Ａのジャンルを次に再生する楽曲Ｂを選択するためのパラメータとし、楽曲Ｂのアーティスト名を次の次に再生する楽曲Ｃを選択するためのパラメータとし、楽曲Ｃの年代をさらにその次に再生する楽曲Ｄを選択するためのパラメータとする。
【００６８】
このようにパラメータの順番を予め組み合わせたパターンデータを利用することにより、システムコントローラ２（場合によっては乱数抽選部８）が、その都度パラメータを選択する処理を省略し、楽曲の出力処理を円滑にすることができる。
【００６９】
尚、パターンデータによるパラメータは、一曲毎に変化するのではなく、何曲か（例えば３曲）毎に変化するようにしてもよい。
【００７０】
また、本実施形態の楽曲再生装置１によれば、聴者が予測困難な順序で楽曲が再生されることとなり、聴者の倦厭感を極力少なくすることができる。
【００７１】
＜複数のパラメータを組み合わせて設定する場合＞
図１３に示すように、現在再生中の楽曲Ａの属性データが、ロック，１９６０年，アーティストＡ，アルバム１であるとする。この中から次曲（楽曲Ｂ）を選択するためのパラメータが複数（この場合２つ）選択される。パラメータを自動的に選択する場合は、乱数抽選部８により楽曲Ａの属性データのインデックス中からパラメータとなるインデックスの抽選を行うことにより行う。一方、ユーザが任意に設定する場合は、所定の設定画面（図９参照）に表示されたアイコンを操作しパラメータを選択する。
【００７２】
乱数抽選の結果、ロックとアーティスト１というインデックスが楽曲Ｂを選出するためのパラメータとして決定されると、システムコントローラ２は、それらの条件（つまり、ロックであり且つアーティストＡ）を満たす楽曲の中から楽曲を選出するための抽選を乱数抽選部８に指示する。これにより、次に再生される楽曲Ｂが選出されることになる。
【００７３】
また、選出された楽曲Ｂの次に再生される楽曲Ｃのパラメータの選択も上記と同様に行われる。つまり、乱数抽選部８により、楽曲Ｂの属性データからパラメータとなるインデックスを複数（この場合２つ）選出し、さらに、それらの条件を満たす楽曲の中から楽曲Ｂの次に再生する楽曲Ｃを選出する。楽曲Ｃを選出するためのパラメータがアーティスト名（アーティストＡ）とアルバム名（アルバム１）であるとすると、楽曲Ｃは、ロック，
１９７０年代，アーティストＡ，アルバム２という属性データを有する楽曲となる。
【００７４】
このように、乱数抽選により複数のパラメータを重ねた上で次に再生する楽曲を選出することにより、より複雑で意外性を有したランダム再生を実現することができる。
【００７５】
＜固定されたパラメータと変化するパラメータとを組み合わせて設定する場合＞
このパターンは、上述した複数のパラメータを組み合わせて設定する場合の応用にあたり、現在再生中の楽曲と次曲と次々曲とが共通（固定）したパラメータを含むように設定される場合である。
【００７６】
図１４に示すように、現在再生中の楽曲Ａがロック，１９６０年代，アーティストＡ，アルバム１という属性データを有しているとする。この中から次曲（楽曲Ｂ）を選択するためのパラメータが二つ選択される。パラメータの選択は、自動的に選択する場合は、乱数抽選部８により楽曲Ａの属性データのインデックス中からパラメータとなるインデックスの抽選を行うことにより行う。尚、ユーザが任意に設定する場合は、所定の設定画面（図８参照）に表示されたアイコンを操作しパラメータを選択する。
【００７７】
乱数抽選の結果、ロックとアーティスト１というインデックスが楽曲Ｂを選出するためのパラメータとして決定されると、システムコントローラ２は、それらの条件（つまり、ロックであり且つアーティストＡ）を満たす楽曲の中から楽曲を選出するための抽選を乱数抽選部８に指示する。これにより、次に再生される楽曲Ｂが選出されることになる。
【００７８】
ここでは、楽曲Ｂの次に再生される楽曲Ｃの二つのパラメータのうち一つが楽曲Ａのインデックスと共通することが特徴となる。つまり、楽曲Ｂと楽曲Ｃとは、乱数抽選により選出されたアーティストＡとアルバム２というパラメータに加えて、楽曲Ａと楽曲Ｂとの共通のインデックスであるロックというインデックスも楽曲Ｃを選出するためのパラメータとなる。つまり、楽曲Ｃは、ロック，１９７０年代，アーティストＡ，アルバム２という属性データを有する楽曲となる。
【００７９】
このように、乱数抽選により複数のパラメータを重ねた上でパラメータを選択することにより、より複雑で意外性を有したランダム再生を実現することができる。
【００８０】
また、上述したそれぞれのパターンは、タッチパネル６の操作により、ユーザがパラメータを任意に設定してもよい。ユーザがパラメータを任意に設定する場合は、図９に示すように、それらのパラメータに優先順位をつけることができる。尚、ユーザが設定した優先順位順のパラメータは優先パターンデータベース３ｅに格納される。
これにより、ユーザの嗜好性を満たすと共に連続して同じ曲を再生することのない楽曲のランダム再生を実現することができる。
【００８１】
＜履歴情報を利用してパラメータを設定する場合＞
図１に示す履歴情報データベース３ｄに格納されている履歴情報を用いてパラメータを設定する場合は、視聴頻度の高い曲の属性データ（インデックス）毎に集計してパラメータを設定する。視聴頻度の高い属性データは、パラメータとして選出される頻度が上がる。例えば、一通りのインデックスがパラメータとして選出されなければ同じインデックスをパラメータとして選出しない場合、図４に示すように、履歴情報データベース３ｄに格納された履歴情報からロックというジャンルの視聴頻度の集計が高いと、パラメータの選出順序が、「ロック」→年代→「ロック」→アーティスト名→アルバム名→「ロック」・・・というようにロックの選出頻度が多くなる。
【００８２】
このように、聴者（ユーザ）の嗜好性に応じた中で楽曲のランダム再生を行うことがで
きるため、聴者は好みの音楽を連続的に楽しむことが可能となる。
【００８３】
＜その他の実施の形態＞
また、本実施形態の楽曲再生装置１は、図１５に示すように、楽曲の属性データを管理するデータ管理サーバとインターネット（ネットワーク）を介して接続し、さらに、データ管理サーバから楽曲の属性データやインデックスに関するデータを受信する通信モジュール（接続手段，受信手段）２０を備えた構成とすることもできる。尚、インデックスに関するデータとは、例えば、現在ハードディスク３の楽曲属性データベース３ｂに記録されているジャンルがロックとポップスしかない場合、新しいインデックスのジャズというジャンルのインデックスとなるべき属性データをいう。
【００８４】
通信モジュール２０により受信された属性データ又はインデックスに関するデータは、楽曲再生装置１のハードディスク３内に構築された適宜のデータベース又はテーブルに格納されデータの更新が行われる。尚、これらのデータを追加するために、楽曲毎に配された属性データの領域に余裕をもたせておくと好ましい。
【００８５】
つまり本楽曲再生装置１によれば、属性データの各種インデックスのデータは、サービスの利用を開始（サービスイン）した後であっても、インターネット等のネットワークからダウンロードするなどして更新することができる。
【００８６】
これにより、例えば、記録媒体（ハードディスクやＭＤ）に記録されていないジャンルの楽曲を記録した場合等、その楽曲のジャンルの属性データ（インデックス）を補完することができる。つまり、本楽曲再生装置１は、記録媒体に新しい楽曲を記録することにより属性データに追加（変化）があった場合でも、その楽曲もランダム再生の対象とすることができる。
【図面の簡単な説明】
【００８７】
【図１】本実施形態における楽曲再生装置のハードウェア構成図である。
【図２】本実施形態に係る楽曲属性データベースに格納されたデータのイメージ図である。
【図３】本実施形態に係るパラメータテーブルに格納されたデータのイメージ図である。
【図４】本実施形態に係る履歴情報データベースに格納されたデータのイメージ図である。
【図５】本実施形態に係る優先パターンデータベースに格納されたデータのイメージ図である。
【図６】本実施形態に係るタッチパネルのディスプレイを示した図である。
【図７】本実施形態に係る画面Ａを示す図である。
【図８】本実施形態に係る画面Ｂを示す図である。
【図９】本実施形態に係る画面Ｃを示す図である。
【図１０】本実施形態に係る画面Ｄを示す図である。
【図１１】本実施形態に係る画面Ｅを示す図である。
【図１２】一曲毎にパラメータを自動的に選択する場合のイメージ図である。
【図１３】複数のパラメータを組み合わせて設定する場合のイメージ図である。
【図１４】固定されたパラメータと変化するパラメータとを組み合わせて設定する場合のイメージ図である。
【図１５】その他の実施形態における楽曲再生装置の概念構成図である。
【符号の説明】
【００８８】
１  楽曲再生装置
２  システムコントローラ（パラメータ選択手段，抽出手段，選出手段，制御手段）
３  ハードディスク（記録媒体）
３ａ  楽曲データベース（格納手段）
３ｂ  楽曲属性データベース（格納手段）
３ｃ  パラメータテーブル（パターンデータ格納手段）
３ｄ  履歴情報データベース
３ｅ  優先パターンデータベース
４  アンプ
５  スピーカ（出力手段）
６  タッチパネル（入力部）
７  メモリ
８  乱数抽選部
２０  通信モジュール
Ａ〜Ｅ  画面
ａ〜ｄ  アイコン
【図１】
2006228373.tif 000003
【図２】
2006228373.tif 000004
【図３】
2006228373.tif 000005
【図４】
2006228373.tif 000006
【図５】
2006228373.tif 000007
【図６】
2006228373.tif 000008
【図７】
2006228373.tif 000009
【図８】
2006228373.tif 000010
【図９】
2006228373.tif 000011
【図１０】
2006228373.tif 000012
【図１１】
2006228373.tif 000013
【図１２】
2006228373.tif 000014
【図１３】
2006228373.tif 000015
【図１４】
2006228373.tif 000016
【図１５】
2006228373.tif 000017